(57)【特許請求の範囲】
【請求項１】
可視光領域の特定波長の光を透過して、その他の波長の光を散乱する光選択透過性材料からなり、白色光再生型光回折パターンが形成された画像部を有する画像層と、
前記画像層の少なくとも前記画像部の裏面に形成された透明又は半透明の反射層と、を含む透明型光回折パターン記録体。
【請求項２】
請求項１に記載の透明型光回折パターン記録体において、
前記反射層の前記画像層とは反対側に、粘着層が形成されていること、
を特徴とする透明型光回折パターン記録体。
【発明の詳細な説明】
【０００１】
【発明の属する技術分野】
本発明は、腕時計用シール式カレンダーなどのホログラムシール，偽造防止用転写ホログラム及び用紙抄き込みホログラムに好適に使用される透明型光回折パターン記録体に関するものである。
【０００２】
【従来の技術】
従来、この種のホログラム製品として、物品の表面に貼着し、一定期間経過後に剥離することができ、カレンダー情報を白色光再生が可能なホログラム画像として記録した透明又は半透明のホログラム形成層と、そのホログラム形成層の一方の面に形成され、物品の表面への十分な貼着性と貼着して一定期間後に剥離することができる再剥離性の双方の特性を兼ね備えた粘着剤層とからなるホログラムカレンダーが提案されている（ＷＯ９１／０３３８０）。
【０００３】
このホログラムカレンダーは、腕時計の保護ガラスの表面等に貼付して使用することにより、透明型ホログラムであるので通常は時計の文字盤が見え、カレンダー情報を知りたいときに所定の角度に傾けると、そのカレンダー情報がホログラム画像として再生される。
【０００４】
【発明が解決しようとする課題】
しかし、前述した従来の技術では、見る角度によって、ホログラムの画像部が見えたり、見えなかったりするだけであったので、セキュリティ性や意匠性に対してさらなる向上が要請されていた。
【０００５】
本発明の目的は、前述した課題を解決し、セキュリティ性及び意匠性をより向上させることができる透明型光回折パターン記録体を提供することである。
【０００６】
【課題を解決するための手段】
本発明は、以下のような解決手段によって、前記課題を解決する。なお、理解を容易にするために、後述する実施形態に対応する符号を付して説明するが、これに限定されるものではない。
すなわち、請求項１の発明は、可視光領域の特定波長の光を透過して、その他の波長の光を散乱する光選択透過性材料からなり、白色光再生型光回折パターンが形成された画像部（１２ａ）を有する画像層（１２）と、前記画像層の少なくとも前記画像部の裏面に形成された透明又は半透明の反射層（１３）と、を含む透明型光回折パターン記録体である。
【０００７】
請求項２の発明は、請求項１に記載の透明型光回折パターン記録体において、前記反射層（１３）の前記画像層（１２）とは反対側に、粘着層（１４）が形成されていること、を特徴とする透明型光回折パターン記録体である。
【０００８】
【発明の実施の形態】
以下、図面などを参照しながら、実施の形態をあげ、本発明をさらに詳細に説明する。
（第１実施形態）
図１，図２は、本発明による透明型光回折パターン記録体の第１実施形態を示した図であって、図１は、層構造を模式的に示す断面図、図２は、光選択透過性材料の性質を示す説明図である。
第１実施形態の透明型光回折パターン記録体１０は、基材１１と、画像層１２と、反射層１３と、粘着層１４等とを備えている。
【０００９】
基材１１は、この透明型光回折パターン記録体１０の担体となるものであり、画像層１２や反射層１３を外力による損傷から保護するためと、強度をもたせるためのものであり、転写箔のときは必要ない。この基材１１の材質としては、セルロース系樹脂、ポリイミド系樹脂、ポリスチレン系樹脂、ポリエステル系樹脂、ポリオレフィン系樹脂の単体、混合物および共重合体等を用いることができる。この基材１１の厚さは、５〜２００μｍ程度が好ましい。
【００１０】
画像層１２は、２または３次元画像を再生可能な表面凹凸パターン（光回折パターン）が形成されたものである。この表面凹凸パターンとしては、物体光と参照光との光の干渉による干渉縞の光の強度分布が凹凸模様で記録されたレリーフホログラムやレリーフ回折格子が記録可能であり、フレネルホログラム、フラウンホーファホログラム、レンズレスフーリエ変換ホログラム、イメージホログラム等のレーザ再生ホログラム、及び、レインボーホログラム等の白色光再生ホログラム、さらに、それらの原理を利用したカラーホログラム、コンピュータホログラム、ホログラムディスプレイ、マルチプレックスホログラム、ホログラフィックステレオグラムや、ホログラム記録手段を利用したホログラフィック回折格子があげられ、その他、電子線描画装置等を用いて機械的に回折格子を作製することにより、計算に基づいて任意の回折光が得られるホログラムや回折格子等をあげることもでき、これらが単一若しくは多重に記録されていても良い。
【００１１】
また、通常の製品としては、これらの記録のレリーフ形状をエンボス複製したものを使用することができる。このホログラム画像は、上記のような回折格子により形成される回折パターンをも含むものである。
【００１２】
画像層１２は、ホログラム画像のレリーフ面である画像部１２ａが下面に形成された層である。この画像層１２は、図２に示すように、特定波長の光（例えば、青色光Ｂ）を透過して、その他の波長の光（青色光の補色となる黄色光Ｙ）を散乱する光選択透過性の材料（特開平４−８７６８号参照）からなり、少なくとも１相が樹脂層であるＡ相及びＢ相の多相複合系の材料である必要がある。
【００１３】
画像層１２のＡ相及びＢ相の成分は、透明又は半透明である必要があり、スチレン系、アクリル系、塩化ビニル系の非晶性高分子、もしくは、透明ポリオレフィン、透明ポリエステル、透明ポリアミド、透明ポリイミド、ポリカーボネート、ポリウレタン、シリコン系樹脂などが使用することができる。樹脂以外にも、ガラス等の無機物を使用することができる。
【００１４】
反射層１３は、画像層１２の画像部１２ａに形成されたホログラム効果を増大させる層であり、透明型光回折パターン記録体として用いられる場合は、反射透明性を有することが必要であり、画像層１２とは屈折率の異なる透明材料や、厚みが２００Å未満の金属薄膜層等があげられる。
前者の場合には、反射層１３の屈折率は、画像層１２の屈折率よりも大きくても小さくてもよいが、屈折率の差が０．１以上であることが好ましく、差が０．５以上、さらに１．０以上大きいことがより好ましい。
また、後者の場合は、金属製薄膜ではあるが厚みが２００Å未満であるために、光波の透過率が大きく、このため、ホログラム効果発現作用とともに、下部の例えば表示部等の非隠蔽作用を発揮する。
【００１５】
反射層１３の材質としては、例えば画像層１２の樹脂よりも屈折率の大きい透明連続薄膜として、Ｓｂ2 Ｓ3 （３．０）、ＺｎＳ（２．１）等があげられる。反射層１３を画像層１２に形成するには、真空蒸着法、スパッタリング法等の薄膜成形方法を用いればよい。
上記画像層の材質、製造方法の詳細は、本件出願人に係る米国特許第４，８５６，８５７号明細書に開示されている。
また、反射層１３は、２００Å以上の金属薄膜でもよく、その場合に、画像層１１は、銀色を呈する。
【００１６】
粘着層もしくは接着層１４は、この透明型光回折パターン記録体１０を物品に貼付するためのものである。この例では、アクリル系、ゴム系、ＥＶＡ系等の一般的な粘着剤もしくは接着剤の中から適当なものを選択して使用することができる。粘着層１４を使用前に保護する場合には、剥離紙（不図示）を貼付しておき、使用時には粘着層１４から剥離することが好ましい。剥離紙としては、シリコン樹脂、ワックス、パラフィン類等を、紙またはフィルム等の基材に塗布したものを用いることができる。
【００１７】
図３は、第１実施形態による透明型光回折パターン記録体の作用を説明する図である。
この実施形態による透明型光回折パターン記録体１０は、従来の透明型光回折パターン記録体と同様に、画像部１２ａが見る角度によって変化する。すなわち、ホログラムが再生される所定の角度から見た場合（Ｅ１）には、画像部１２ａを見ることができ、その他の角度から見た場合（Ｅ２）には、画像部１２ａを見ることはできない。
【００１８】
また、画像部１２ａ部分以外からも見る角度によって、異なる色の散乱光が得られる。つまり、画像部１２ａは、ホログラムとして再生される角度の場合（Ｅ１）には、透過光によって青みがかって見える。一方、画像部１２ａは、ホログラムとして再生されない角度の場合（Ｅ３）であっても、散乱光によって、黄色みかがって見える。従って、画像部１２ａは、見る角度によって、ポジ状又はネガ状に見えるようになる。
【００１９】
さらに、光源側から見た場合（Ｅ１）と、光に透かして見た場合（Ｅ４）とで色が異なるように見える。
【００２０】
（第２実施形態）
図４は、本発明による透明型光回折パターン記録体の第２実施形態の層構造を模式的に示す断面図である。
第２実施形態の透明型光回折パターン記録体１０Ｂは、光選択透過性のある材料からなる基材１１Ｂと、通常の透明又は半透明な樹脂からなる画像層１２Ｂとからなり、反射層１３や粘着層１４は、第１実施形態と同様である。第２実施形態も、第１実施形態と同様の作用・効果が得られる。
【００２１】
（変形形態）
以上説明した実施形態に限定されることなく、種々の変形や変更が可能であって、それらも本発明の均等の範囲内である。
（１）  第２実施形態の場合に、画像層１２は、基材１１上にコーティング方式などにより形成されるが、基材１１がエンボス成型可能なものであれば、それ自体にレリーフホログラム等によるホログラム画像を形成してもよく、この場合は、画像層１２は不要である。つまり、基材１１が画像層１２の樹脂層を兼ねることができる。
【００２２】
（２）透明型光回折パターン記録体は、腕時計用シール式カレンダーなどの他に、有価証券，金券，証明書などの偽造防止媒体として使用することもできる。
【００２３】
【発明の効果】
以上詳しく説明したように、本発明によれば、基材又は画像層に光選択透過性材料を用いたので、光回折パターンの画像部が見る角度により変化する効果に加え、光源側から見た場合と、光に透かして見た場合で色が異なる効果が得られる。
また、光回折パターンの画像部の反射光の特定波長成分を散乱させることにより、光回折パターンの画像部以外の部分からも、見る角度を変えることにより、異なる色で散乱光が得られる。
【図面の簡単な説明】
【図１】本発明による透明型光回折パターン記録体の実施形態の層構造を模式的に示す断面図である。
【図２】本発明による透明型光回折パターン記録体の実施形態の光選択透過性材料の性質を示す説明図である。
【図３】本実施形態による透明型光回折パターン記録体の作用を説明する図である。
【図４】本発明による透明型光回折パターン記録体の第２実施形態の層構造を模式的に示す断面図である。
【符号の説明】
１０，１０Ｂ  透明型光回折パターン記録体
１１，１１Ｂ  基材
１２，１２Ｂ  画像層
１２ａ  画像部
１３  反射層
１４  粘着層もしくは接着層
【図１】
0004451505.tif 000002
【図２】
0004451505.tif 000003
【図３】
0004451505.tif 000004
【図４】
0004451505.tif 000005